(57)【要約】      （修正有）【課題】エレベーターの保守の際であっても、保守員以外に監視カメラの記録映像がアクセスされ難いようにしたエレベーターにおける監視映像の再生システム、及びその方法を提供する。【解決手段】エレベーターの乗りかご内の録画映像を保守員の保持する携帯端末４００に送信するエレベーターの録画映像再生システムにおいて、乗りかごの内部を撮影する監視カメラ３１０と、監視カメラが撮影した映像を録画する記録装置３２０と、記録装置の録画した映像を携帯端末に出力するための通信データに変換する可視光通信制御装置５００と、乗りかごの内部を照明する照明装置５４０であって、可視光通信制御装置は、保守作業検出モジュールが保守作業モードを検出し、かつ扉閉状態検出回路１１２が乗りかごの扉の閉状態を検出した場合に、通信データを、照明装置を介して携帯端末に送信する。【選択図】図１
2018002402.tif 000002
【特許請求の範囲】
【請求項１】
エレベーターの乗りかご内の録画映像を保守員の所持する携帯端末に送信する前記エレベーターの録画映像再生システムであって、
前記乗りかごの内部を撮影する監視カメラと、
前記監視カメラが撮影した映像を録画する記録装置と、
前記記録装置の録画した前記映像を前記携帯端末に出力するための通信データに変換する可視光通信制御装置と、
前記乗りかごの内部を照明する照明装置であって、前記通信データを明滅による可視光通信によって前記携帯端末に送信可能な前記照明装置と、
前記エレベーターに対する保守作業モードを検出する保守作業検出モジュールと、
前記乗りかごの扉の閉状態を検出する扉閉状態検出モジュールと、
を備え、
前記可視光通信制御装置は、前記保守作業検出モジュールが前記保守作業モードを検出し、かつ前記扉閉状態検出モジュールが前記乗りかごの扉の閉状態を検出した場合に、前記通信データを、前記照明装置を介して前記携帯端末に送信する
エレベーターの録画映像再生システム。
【請求項２】
前記乗りかご内の乗員を検出する画像解析モジュールを備える乗員検出モジュールを更に有し、
前記画像解析モジュールは、前記監視カメラが撮影した前記映像に基づいて前記乗りかご内の乗員を検出し、
前記可視光通信制御装置は、前記乗員検出モジュールによる検出結果に基づいて、前記通信データを、前記照明装置を介して前記携帯端末に送信する
請求項１記載のエレベーターの録画映像再生システム。
【請求項３】
前記画像解析モジュールにより、前記乗りかご内の乗員が１名であることを判定した場合に、前記通信データを、前記照明装置を介して前記携帯端末に送信する
請求項２記載のエレベーターの録画映像再生システム。
【請求項４】
前記照明装置からの可視光通信データを受光して、録画映像を再生する、前記携帯端末を備え、
前記携帯端末は映像機器である
請求項１記載のエレベーターの録画映像再生システム。
【請求項５】
前記乗員検出モジュールは荷重検出モジュールを備え、
荷重検出モジュールは、前記乗りかご内の荷重を検出した検出信号から前記乗りかご内の前記乗員が１人であることを判定する
請求項２記載のエレベーターの録画映像再生システム。
【請求項６】
前記画像解析モジュールにより、前記監視カメラが撮影した前記映像に映っている前記乗員が所定の姿勢であると判定した場合に、前記通信データを、前記照明装置を介して前記携帯端末に送信する
請求項２又は３に記載のエレベーターの録画映像再生システム。
【請求項７】
エレベーターの乗りかご内の録画映像を映像機器に再生させるエレベーターの録画映像再生システムにおけるエレベーターの録画映像再生方法であって、
前記エレベーターの録画映像再生システムは、
前記乗りかごの内部を撮影する監視カメラと、
前記監視カメラが撮影した映像を録画する記録装置と、
前記記録装置の録画した前記映像を可視光に基づく通信データに変換する可視光通信制御装置と、
前記乗りかごの内部を照明する照明装置と、
前記エレベーターに対する保守作業の開始を検出する保守作業検出モジュールと、
前記乗りかごの扉の閉状態を検出する扉閉状態検出モジュールと、
を備え、
前記可視光通信制御装置が、前記保守作業検出モジュールによる検出結果と、前記扉閉状態検出モジュールによる検出結果と、に基づいて、前記通信データを前記照明装置に送信する第１のステップと、
前記照明装置が前記通信データに基づいた態様によって可視光を発光する第２のステップと、
前記可視光通信制御装置が前記可視光に基づいて録画した前記映像を前記乗りかご内の映像機器に再生させる第３のステップと、を備える
エレベーターの録画映像再生方法。
【発明の詳細な説明】
【技術分野】
【０００１】
本発明は、保守員がエレベーターの保守に合わせて、エレベーターの乗りかごに設けられた監視カメラの録画映像を点検する際に有用なエレベーターの録画映像の再生システムに関する。
【背景技術】
【０００２】
近年、防犯の観点から、エレベーターの乗りかご内に監視カメラを設置することが頻繁に行われている。監視カメラの撮影映像は、乗りかごに設置された記録装置に録画され、保守員は、エレベーターを点検するのに合わせて、記録装置に監視カメラの撮影映像が正常に記録されていることも確認するようにしている。
【０００３】
特開２００６−１４８７９８号公報には、保守員が防犯カメラの映像を確認する際に、防犯カメラと携帯端末との通信性能を向上させ、通信時のセキュリティを確保するために、乗りかごに設置された防犯カメラと、防犯カメラの映像情報を記録する映像記録装置と、防犯カメラなどに設置された送受信装置と、送受信装置との間で無線通信を行う携帯端末とを備え、携帯端末から送受信装置に向けて情報を送信する場合と送受信装置から携帯端末に向けて情報を送信する場合とで異なる通信処理を用いるように構成された防犯映像管理システムが開示されている。
【先行技術文献】
【特許文献】
【０００４】
【特許文献１】特開２００６−１４８７９８号公報
【発明の概要】
【発明が解決しようとする課題】
【０００５】
しかしながら、従来のシステムでは、エレベーターの保守の際に、保守員以外の者が監視カメラの記録映像にアクセスできる可能性を排除できていないために、監視カメラの記録映像が第３者に流出して監視カメラのセキュリティが損なわれるという課題があった。
【０００６】
そこで、本願発明は、エレベーターの保守の際であっても、保守員以外に監視カメラの記録映像がアクセスされ難いようにしたエレベーターにおける監視映像の再生システム、及び、その方法を提案しようとするものである。
【課題を解決するための手段】
【０００７】
かかる課題を解決するため本発明においては、エレベーターの乗りかご内の録画映像を保守員の保持する携帯端末に送信するエレベーターの録画映像再生システムにおいて、乗りかごの内部を撮影する監視カメラと、監視カメラが撮影した映像を録画する記録装置と、記録装置の録画した映像を携帯端末に出力するための通信データに変換する可視光通信制御装置と、乗りかごの内部を照明する照明装置であって、通信データを明滅による可視光通信によって携帯端末に送信可能な照明装置と、エレベーターに対する保守作業モードを検出する保守作業検出モジュールと、乗りかごの扉の閉状態を検出する扉閉状態検出モジュールと、を備え、可視光通信制御装置は、保守作業検出モジュールが保守作業モードを検出し、かつ扉閉状態検出モジュールが前記乗りかごの扉の閉状態を検出した場合に、通信データを、照明装置を介して携帯端末に送信するようにした。
【０００８】
また、本発明においては、エレベーターの乗りかご内の録画映像を映像機器に再生させるエレベーターの録画映像再生システムにおけるエレベーターの録画映像再生方法において、エレベーターの録画映像再生システムは、乗りかごの内部を撮影する監視カメラと、監視カメラが撮影した映像を録画する記録装置と、記録装置の録画した映像を可視光に基づく通信データに変換する可視光通信制御装置と、乗りかごの内部を照明する照明装置と、エレベーターに対する保守作業の開始を検出する保守作業検出モジュールと、乗りかごの扉の閉状態を検出する扉閉状態検出モジュールと、を備え、可視光通信制御装置が、保守作業検出モジュールによる検出結果と、扉閉状態検出モジュールによる検出結果と、に基づいて、通信データを照明装置に送信する第１のステップと、照明装置が通信データに基づいた態様によって可視光を発光する第２のステップと、可視光通信制御装置が可視光に基づいて録画した映像を乗りかご内の映像機器に再生させる第３のステップと、を備えるようにした。
【発明の効果】
【０００９】
本発明によれば、エレベーターの保守の際であっても、保守員以外に監視カメラの記録映像がアクセスされ難いようにしたエレベーターにおける監視映像の再生システム、及び、その方法を実現する。
【図面の簡単な説明】
【００１０】
【図１】本発明の実施の形態によるエレベーターの録画映像再生システムのハードウェア構成を示す図である。
【図２】本発明の実施の形態によるエレベーターの録画映像再生システムの機能構成を示す図である。
【図３】本発明の実施の形態によるエレベーターの録画映像再生システムの処理手順を示すフローチャートである。
【図４】本発明の実施の形態によるエレベーターの録画映像再生システムの処理手順を示すフローチャートである。
【発明を実施するための形態】
【００１１】
以下図面について、本発明の一実施の形態を詳述する。
【００１２】
（１）本実施の形態によるエレベーターの録画映像再生システムの構成
図１は、全体として本実施の形態によるエレベーターの録画映像再生システムを示す。エレベーターの録画映像再生システムは、保守作業の際に、エレベーター内の録画映像を再生するシステムである。エレベーターの録画映像再生システムを適用するエレベーター１００は、乗りかごの運行を保守運転に切り替える保守スイッチ１１１と、乗りかごのドアが閉まっていること（扉の閉状態）を検出するドア閉検出回路１１２とを備える。図示しない機械室にはエレベーター１００の運転を制御する制御装置２００が設けられている。保守スイッチ１１１は、保守員がエレベーターを保守作業モードに変更する際に使用する、保守作業の開始を検出する保守作業検出モジュールであり、ドア閉検出回路１１２は、扉閉状態検出モジュールである。
【００１３】
保守スイッチ１１１はスイッチが入力されたか否かで決定する保守運転か否かの情報（保守運転情報）を制御装置２００へ送信し、ドア閉検出回路１１２はドアが閉まっているか否かの情報（ドア閉情報）を制御装置２００へ送信する。またエレベーター１００は、乗りかごの床にかかる荷重を検出する秤装置１１３をエレベーター１００の下部に備えてもよい。秤装置１１３は、荷重の検出による検出信号（荷重検出信号）を制御装置２００へ送信する。図２に示すように保守スイッチ１１１と、ドア閉検出回路１１２と、秤装置１１３とをまとめて検出装置１１０とする。
【００１４】
エレベーターの録画映像再生システムは、エレベーター１００の乗りかご内を撮影する監視カメラである防犯カメラ３１０と、撮影された映像を録画映像として記録する記録装置３２０と、可視光通信のための可視光制御装置である可視光通信装置５００と、乗りかご内を照射する照明装置５４０とを備える。防犯カメラ３１０と照明装置５４０とは乗りかご内に設置され、記録装置３２０と可視光通信装置５００とは乗りかごの上に設置されている。図２に示すように防犯カメラ３１０と記録装置３２０とをまとめて監視装置３００とする。またエレベーターの録画映像再生システムは、記録された映像である録画映像を受信し表示する映像機器である携帯端末４００を備えてもよい。
【００１５】
可視光通信装置５００は、図２に示すように、受信回路５１０、可視光信号生成回路５２０及び可視光信号送光回路５３０を備える。受信回路５１０は、制御装置２００から送信される保守運転情報及びドア閉情報並びに制御装置２００から送信される荷重検出信号及び／又は記録装置３２０から送信される保守作業時である現在の撮影映像（保守作業時画像）を基に、可視光通信を行うか否かの判定を行う。
【００１６】
受信回路５１０に含まれる荷重検出モジュールは、制御装置２００から送信される荷重検出信号より、乗りかご内の乗員（保守員）が１人であるか否かを判定する。秤装置１１３は、例えば乗りかご内の荷重に応じて乗りかごの床が沈む距離を測定する距離センサであり、受信回路５１０は荷重検出信号の値が所定の範囲内である場合に乗りかご内の乗員が１人であると判定する。
【００１７】
また受信回路５１０に含まれる画像解析モジュールは、記録装置３２０から送信される保守作業時画像より、乗りかご内の乗員が１人であるか否かを判定する。例えば画像中の肌色領域を検出するなど人間に関係のある特徴量の抽出を適用することで、乗りかご内の乗員の人数が把握できる。
【００１８】
また受信回路５１０に含まれる画像解析モジュールは、記録装置３２０から送信される保守作業時画像より、乗りかご内の乗員の受光準備が整い、乗りかご内の乗員が受光姿勢をとっているか否かを判定する。例えば、機械学習アルゴリズムのランダムフォレストを適用することで、乗りかご内の乗員の受光準備が整ったかを判定できる。その他、画像内の所定の領域に、乗員が所定時間静止していることを検知しても良い。なお、荷重検出モジュールと画像検出モジュールを合わせて、乗員検出モジュールとする。
【００１９】
可視光通信を行う際には、受信回路５１０は、記録装置３２０からの対象時刻の録画映像を可視光信号生成回路５２０へ出力する。可視光信号生成回路５２０は、入力された録画映像を可視光信号に変換し、可視光信号送光回路５３０へ出力する。可視光信号送光回路５３０は入力された可視光信号を照明装置５４０へ送信するとともに、可視光信号送光回路５３０は照明装置５４０へ送光指示を出す。照明装置５４０は、送光指示を受け、照明を明滅させることで携帯端末４００へ可視光信号を送信する。
【００２０】
対象時刻の録画映像とは記録装置３２０に記録されている最初と最後の録画映像とし、対象時刻から３０秒程度の時間の間の録画映像とする。対象時刻とは例えば保守作業時の１分前と１週間前とする。
【００２１】
受信回路５１０は、送光指示後に、記録装置３２０へ録画指示を出す。記録装置３２０は図示せぬ検査用領域に、作業履歴として保守作業中の乗員の様子（保守作業時画像）を録画する。保守作業時画像は受信回路５１０が、制御装置２００からドア閉情報受信後に録画される。
【００２２】
一方、携帯端末４００は、乗員によって携帯される端末であり、図２に示すように、可視光通信受光部４１０、可視光通信受信装置４２０及び液晶画面４３０を備える。可視光通信受光部４１０は照明装置５４０から可視光信号を受信し、可視光通信受信装置４２０へ出力する。可視光通信受信装置４２０は、入力された可視光信号を録画映像に再変換し、液晶画面４３０へ出力する。液晶画面４３０は、入力された録画映像を表示する。乗員は、液晶画面４３０に表示される録画映像を確認する。
【００２３】
（２）本実施の形態による録画映像送信機能
可視光通信装置５００に実装された録画映像送信機能についてする。本実施の形態では、携帯端末４００等で可視光通信装置５００からの録画映像を受信し、携帯端末４００等で録画映像を再生することで録画映像再生機能を実現する。図４は録画映像送信機能のフローを示した図であり、図３は録画映像送信処理中の判定処理Ｓ１００に関するフロー図である。
【００２４】
判定処理Ｓ１００においては、受信回路５１０は、制御装置２００から保守スイッチＯＮ情報受信をしたか否かを判定する（Ｓ１０１）。否定結果の場合は再度ステップＳ１０１を行う（Ｓ１０１；ＮＯ）。
【００２５】
受信回路５１０は、制御装置２００から保守スイッチＯＮ情報受信をした場合（Ｓ１０１；ＹＥＳ）、受信回路５１０は、かごドア閉情報受信をしたか否かを判定する（Ｓ１０２）。否定結果の場合は再度ステップＳ１０２を行う（Ｓ１０２；ＮＯ）。
【００２６】
受信回路５１０は、制御装置２００からかごドア閉情報受信をした場合（Ｓ１０２；ＹＥＳ）、受信回路５１０は、記録装置３２０から送信される保守作業時画像から乗員が１人であるか否かを判定する（Ｓ１０３）。否定結果の場合は再度ステップＳ１０３を行う（Ｓ１０３；ＮＯ）。
【００２７】
受信回路５１０は、記録装置３２０から送信される保守作業時画像から乗員が１人であると判定した場合（Ｓ１０３；ＹＥＳ）、受信回路５１０は、制御装置２００から送信される荷重検出信号から乗員が１人であるか否かを判定する（Ｓ１０４）。否定結果の場合は再度ステップＳ１０４を行う（Ｓ１０４；ＮＯ）。
【００２８】
受信回路５１０は、制御装置２００から送信される荷重検出信号から乗員が１人であると判定した場合（Ｓ１０４；ＹＥＳ）、受信回路５１０は、記録装置３２０から送信される保守作業時画像から乗員が受光の準備姿勢をとっているか否かを判定する（Ｓ１０５）。否定結果の場合は再度ステップＳ１０５を行う（Ｓ１０５；ＮＯ）。受信回路５１０が、記録装置３２０から送信される保守作業時画像から乗員が受光の準備姿勢をとっていると判定した場合（Ｓ１０５；ＹＥＳ）、本処理を終了する。
【００２９】
本処理では、ステップＳ１０３、Ｓ１０４及びＳ１０５を全て実施する処理としているが、ステップＳ１０３とＳ１０４とはどちらか一方が実施されれば、他方は実施されなくともよい。また、ステップＳ１０５は実施してもしなくてもよい。
【００３０】
録画映像送信処理では、判定処理Ｓ１００の後、受信回路５１０は記録装置３２０から対象時刻の録画映像を受信し、受信回路５１０は受信した録画映像を可視光信号生成回路５２０へ出力する。（Ｓ２０１）。次に可視光信号生成回路５２０は、入力された録画映像を可視光信号に変換し、可視光信号生成回路５２０は可視光信号を可視光信号送光回路５３０へ出力する（Ｓ２０２）。
【００３１】
次に可視光信号送光回路５３０は、入力された可視光信号を照明装置５４０へ送信するとともに、可視光信号送光回路５３０は照明装置５４０へ送光指示を出す（Ｓ２０３）。そして可視光信号送光回路５３０は送光指示を出したことを受信回路５１０へ出力し、この入力を受け、受信回路５１０は、記録装置３２０に録画指示を出す（Ｓ２０４）。
【００３２】
（３）本実施の形態の効果
以上のように本実施の形態のエレベーターの録画映像再生システムでは、可視光信号つまり照明装置に照射される乗りかご内の範囲で、乗員１人のみが録画映像の再生確認を行うことができる。
【００３３】
また乗員が受光姿勢をとっているか否かを判定することで、乗員が受光姿勢をとっていないにもかかわらず可視光信号を送信してしまう場合を削減でき、保守作業時の手戻りを防ぎ、作業の効率化が図れる。
【００３４】
さらに保守作業時画像を録画するため、この画像を録画映像確認実施記録とすることができ、その後の保守点検計画の参考とすることができる。
【符号の説明】
【００３５】
１００……エレベーター、１１０……検出装置、１１１……保守スイッチ、１１２……ドア閉検出回路、１１３……秤装置、２００……制御装置、３００……監視装置、３１０……防犯カメラ、３２０……記録装置、４００……携帯端末、４１０……可視光通信受光部、４２０……可視光通信受信装置、４３０……液晶画面、５００……可視光通信装置、５１０……受信回路、５２０……可視光信号生成回路、５３０……可視光信号送光回路、５４０……照明装置。
【図１】
2018002402.tif 000003
【図２】
2018002402.tif 000004
【図３】
2018002402.tif 000005
【図４】
2018002402.tif 000006